(57)【要約】【課題】手軽にカードごとにデザインや模様を変更できるとともに、安価で、簡易且つ効率的に製造することのできる不正対策カードを提供する。【解決手段】本発明の不正対策カードは、個人識別情報が印刷されるカードの表面上に発熱する描画手段を接触させ、接触した前記表面を溶すことにより描かれる、透かし文字又は図形を備える。【選択図】      図１
2016210163.tif 000002
【特許請求の範囲】
【請求項１】
個人識別情報が印刷されるカードの表面上に発熱する描画手段を接触させ、接触した前記表面を溶すことにより描かれる、透かし文字又は図形を備えることを特徴とする不正対策カード。
【請求項２】
発熱する前記描画手段は、前記カードのガラス転移点以上の温度を有することを特徴とする請求項１に記載の不正対策カード。
【請求項３】
発熱する描画手段と、前記描画手段とカードとの間に介在されるインクリボンとを有してカードに印刷を行うカードプリンタであって、
個人識別情報を印刷する際は、前記描画手段と前記カードとの間に前記インクリボンを介在させて、前記描画手段の熱で前記インクリボンのインクを昇華させて前記カードに個人識別情報を印刷し、
透かし文字又は図形を描く際は、前記描画手段と前記カードとの間から前記インクリボンを取り除いた状態で、前記描画手段の熱で前記カードの表面を溶かすことにより、透かし文字又は図形を描くことを特徴とするカードプリンタ。
【請求項４】
発熱する描画手段と、前記描画手段の熱によりそのインクが昇華されるインクリボンとを有してカードに印刷を行うカードプリンタであって、
個人識別情報を印刷する際は、前記描画手段の熱で前記インクリボンのインクを昇華させて前記カードに個人識別情報を印刷し、
透かし文字又は図形を描く際は、前記描画手段と前記カードとの間に介在するものが無い状態で、前記描画手段の熱で前記カードの表面を溶かすことにより、透かし文字又は図形を描くことを特徴とするカードプリンタ。
【請求項５】
前記インクリボンは、個人識別情報を印刷する際に、前記描画手段とカードとの間に介在されることを特徴とする請求項４に記載のカードプリンタ。
【請求項６】
発熱する描画手段と、前記描画手段の熱によりそのインクが昇華されるインクリボンとを有してカードに印刷を行うカードプリンタであって、
前記描画手段は、第１の描画手段と第２の描画手段とを有し、
前記カードプリンタは、
前記第１の描画手段と前記インクリボンとを含み、前記第１の描画手段の熱で前記インクリボンのインクを昇華させて前記カードに個人識別情報を印刷する第１のユニットと、
前記第２の描画手段を含み、前記第２の描画手段と前記カードとの間に介在するものがない状態で、前記第２の描画手段の熱で前記カードの表面を溶かすことにより、透かし文字又は図形を描く第２のユニットと、
前記第１のユニットと前記第２のユニットとの間で前記カードを搬送する搬送手段とを有することを特徴とするカードプリンタ。
【請求項７】
発熱する描画手段を有し、個人識別情報が印刷されるカードに透かし文字又は図形を描くカードプリンタであって、
前記描画手段と前記カードとの間に介在するものが無い状態で、前記描画手段の熱で前記カードの表面を溶かすことにより、前記カードに透かし文字又は図形を描くことを特徴とするカードプリンタ。
【請求項８】
発熱する描画手段と、前記描画手段とカードとの間に介在されるインクリボンとを有してカードに印刷を行うカードプリンタへ、個人識別情報のデータを送信する手順と、
前記カードプリンタへ指令を出して、前記カードプリンタに、前記個人識別情報のデータに基づき、前記描画手段と前記カードとの間に前記インクリボンが介在した状態で、前記描画手段の熱で前記インクリボンのインクを昇華させることで前記カードに個人識別情報の印刷を実行させる手順と、
前記カードプリンタへ、透かし文字又は図形の元となるデータを送信する手順と、
前記カードプリンタへ指令を出して、前記カードプリンタに、前記透かし文字又は図形のデータに基づき、前記描画手段と前記カードとの間から前記インクリボンが取り除かれた状態で、前記描画手段の熱で前記カードの表面を溶かすことにより、透かし文字又は図形を描かせる手順とを、コンピュータに実行させるカード発行プログラム。
【発明の詳細な説明】
【技術分野】
【０００１】
本技術は、不正対策カードに係り、より詳細には、カードの表面に透かし文字又は図形を有する不正対策カードに関する。
【背景技術】
【０００２】
氏名や顔写真等の個人識別情報が印刷されたカードは、社員証、会員証、学生証、ポイントカード、定期券等として広く一般に用いられている。しかし、プラスチックカード等に偽の個人識別情報を印刷し、また、本物のカードを入手した上で顔写真部分を変更するなどして偽のカードを作成し、カードを不正利用する者がいる。その対策として、ホログラムや透かしを有するカードがある。
特許文献１には、プラスチックシート等の基材を、ホットプレートにより加熱し、軟化した基材に打刻を行い、これを冷却することで、透かしによる可変情報を形成することが記載されている。
【先行技術文献】
【特許文献】
【０００３】
【特許文献１】特開２００３−２７６３７２
【発明の概要】
【発明が解決しようとする課題】
【０００４】
しかしながら、ホログラムは、そのデザイン作成に非常に高価で且つ複雑な工程が必要である。また、基本的に単一のデザイン・模様などが主であり、カードごとに個別にデザインや模様を変更することは困難であった。
また、特許文献１記載の発明は、透かしを形成するために、透かし形成部分のみならず基材全体を加熱することになるため、製造に余計に加熱コストがかかる。さらに、基材全体が加熱されて軟化しているため、基材全体を冷却する必要があり、製造に余計な時間がかかる。
【０００５】
本発明はこれらの点に鑑みてなされたものであり、手軽にカードごとにデザインや模様を変更できるとともに、安価で、簡易且つ効率的に製造することのできる不正対策カードを提供することを目的とする。
また、本発明は、不正対策カードを製造するためのカードプリンタを提供することを目的とする。
さらに、本発明は、不正対策カードを製造するためのカード発行プログラムを提供することを目的とする。
【課題を解決するための手段】
【０００６】
本発明の不正対策カードは、個人識別情報が印刷されるカードの表面上に発熱する描画手段を接触させ、接触した前記表面を溶すことにより描かれる、透かし文字又は図形を備えることを特徴とする。
また、発熱する前記描画手段は、前記カードのガラス転移点以上の温度を有するように構成することができる。
【０００７】
本発明のカードプリンタは、発熱する描画手段と、前記描画手段とカードとの間に介在されるインクリボンとを有してカードに印刷を行うカードプリンタであって、個人識別情報を印刷する際は、前記描画手段と前記カードとの間に前記インクリボンを介在させて、前記描画手段の熱で前記インクリボンのインクを昇華させて前記カードに個人識別情報を印刷し、透かし文字又は図形を描く際は、前記描画手段と前記カードとの間から前記インクリボンを取り除いた状態で、前記描画手段の熱で前記カードの表面を溶かすことにより、透かし文字又は図形を描くことを特徴とする。
本発明のカードプリンタは、発熱する描画手段と、前記描画手段の熱によりそのインクが昇華されるインクリボンとを有してカードに印刷を行うカードプリンタであって、個人識別情報を印刷する際は、前記描画手段の熱で前記インクリボンのインクを昇華させて前記カードに個人識別情報を印刷し、透かし文字又は図形を描く際は、前記描画手段と前記カードとの間に介在するものが無い状態で、前記描画手段の熱で前記カードの表面を溶かすことにより、透かし文字又は図形を描くことを特徴とする。
また、前記インクリボンは、個人識別情報を印刷する際に、前記描画手段とカードとの間に介在されるよう構成しても良い。
本発明のカードプリンタは、発熱する描画手段と、前記描画手段の熱によりそのインクが昇華されるインクリボンとを有してカードに印刷を行うカードプリンタであって、前記描画手段は、第１の描画手段と第２の描画手段とを有し、前記カードプリンタは、前記第１の描画手段と前記インクリボンとを含み、前記第１の描画手段の熱で前記インクリボンのインクを昇華させて前記カードに個人識別情報を印刷する第１のユニットと、前記第２の描画手段を含み、前記第２の描画手段と前記カードとの間に介在するものがない状態で、前記第２の描画手段の熱で前記カードの表面を溶かすことにより、透かし文字又は図形を描く第２のユニットと、前記第１のユニットと前記第２のユニットとの間で前記カードを搬送する搬送手段とを有することを特徴とする。
本発明のカードプリンタは、発熱する描画手段を有し、個人識別情報が印刷されるカードに透かし文字又は図形を描くカードプリンタであって、前記描画手段と前記カードとの間に介在するものが無い状態で、前記描画手段の熱で前記カードの表面を溶かすことにより、前記カードに透かし文字又は図形を描くことを特徴とする。
【０００８】
本発明のカード発行プログラムは、発熱する描画手段と、前記描画手段とカードとの間に介在されるインクリボンとを有してカードに印刷を行うカードプリンタへ、個人識別情報のデータを送信する手順と、前記カードプリンタへ指令を出して、前記カードプリンタに、前記個人識別情報のデータに基づき、前記描画手段と前記カードとの間に前記インクリボンが介在した状態で、前記描画手段の熱で前記インクリボンのインクを昇華させることで前記カードに個人識別情報の印刷を実行させる手順と、前記カードプリンタへ、透かし文字又は図形の元となるデータを送信する手順と、前記カードプリンタへ指令を出して、前記カードプリンタに、前記透かし文字又は図形のデータに基づき、前記描画手段と前記カードとの間から前記インクリボンが取り除かれた状態で、前記描画手段の熱で前記カードの表面を溶かすことにより、透かし文字又は図形を描かせる手順とを、コンピュータに実行させる。
【発明の効果】
【０００９】
これにより、手軽にカードごとにデザインや模様を変更できるとともに、安価で、簡易且つ効率的に製造することのできる不正対策カードを提供することができる。
また、不正対策カードを製造するためのカードプリンタを提供することができる。
さらに、不正対策カードを製造するためのカード発行ソフトを提供することができる。
【図面の簡単な説明】
【００１０】
【図１】本発明の一実施例である不正対策カード１００の平面図。
【図２】透かし文字３０及び透かし図形４０のみを形成した際の、本発明の一実施例である不正対策カード１００のカード１０の平面図。
【図３】本発明の一実施例である不正対策カード１００を製造する際に用いる各装置のブロック図。
【図４】（ａ）は、本発明の一実施例である不正対策カード１００を製造するために用いるカードプリンタ２００で通常の印刷を行う際の様子を示す図、（ｂ）は、本発明の一実施例である不正対策カード１００を製造するために用いるカードプリンタ２００で透かし印刷を行う際の様子を示す図。
【図５】本発明の一実施例である不正対策カード１００の製造工程を示したフロー。
【図６】（ａ）は、本発明の一実施例である不正対策カード１００の製造工程において、顧客帳を登録する際に表示される画面、（ｂ）は、本発明の一実施例である不正対策カード１００の製造工程において、カードスタイルを登録する際に表示される画面。
【図７】本発明の一実施例である不正対策カード１００の製造工程において、顧客帳編集作業を行う際に表示される画面。
【図８】本発明の一実施例である不正対策カード１００の製造工程において、カードスタイル（通常印刷用）の編集を行う際に表示される画面。
【図９】本発明の一実施例である不正対策カード１００の製造工程において、写真データと顧客帳上のデータとをリンクさせる際に表示される画面。
【図１０】本発明の一実施例である不正対策カード１００の製造工程において、カード１０に通常印刷を行う際に表示される画面。
【図１１】本発明の一実施例である不正対策カード１００の製造工程において、カード１０に印刷を行うカードプリンタの設定を透かし印刷モードに変更する際に表示される画面。
【図１２】本発明の一実施例である不正対策カード１００の製造工程において、カード１０に透かし印刷を行う際に表示される画面。
【図１３】本発明の一実施例である不正対策カード１００を製造するのに用いられるカードプリンタ４００の正面図。
【図１４】本発明の一実施例である不正対策カード１００を製造するのに用いられるカードプリンタ４００の個人識別情報印刷装置４１０の本体４１１の内部構造及び透かし印刷装置４４０の本体４４１の内部構造を示す図。
【図１５】本発明の一実施例である不正対策カード１００を製造するのに用いられるカードプリンタ４００の個人識別情報印刷装置４１０及び透かし印刷装置４４０の動作説明図。
【図１６】本発明の一実施例である不正対策カード１００を製造するのに用いられるカードプリンタ４００の個人識別情報印刷装置４１０及び透かし印刷装置４４０の動作説明図。
【図１７】本発明の一実施例である不正対策カード１００を製造するのに用いられるカードプリンタ４００の変形例において用いられる、第１のユニット５２０の構成を示す図。
【図１８】本発明の一実施例である不正対策カード１００を製造するのに用いられるカードプリンタ６００の正面図。
【図１９】本発明の一実施例である不正対策カード１００を製造するのに用いられるカードプリンタ６００の透かし印刷装置６１０の内部構造を示す図。
【発明を実施するための形態】
【００１１】
本発明の一実施例である不正対策カード１００を図１〜図４を用いて説明する。図１は、本発明の一実施例である不正対策カード１００の平面図である。図２は、透かし文字３０及び透かし図形４０のみを形成した際の、本発明の一実施例である不正対策カード１００のカード１０の平面図である。図３は、本発明の一実施例である不正対策カード１００を製造する際に用いる各装置のブロック図である。図４（ａ）は、本発明の一実施例である不正対策カード１００を製造するために用いるカードプリンタ２００で通常の印刷を行う際の様子を示す図である。図４（ｂ）は、本発明の一実施例である不正対策カード１００を製造するために用いるカードプリンタ２００で透かし印刷を行う際の様子を示す図である。
【００１２】
図１を参照すると、本発明の一実施例である不正対策カード１００は、顔写真２１、氏名２２及び社員コード２３が印刷されているカード１０の表面上に、透かし文字３０及び透かし図形４０を有する。
カード１０は、ガラス転移点（Ｔｇ）が５０℃以上である白無地のＰＶＣプラスチックカードからなる。そして、その表面上に顔写真２１、氏名２２及び社員コード２３が印刷され、社員証となっている。顔写真２１は、カード１０の表面の中央より左側に印刷され、氏名２２及び社員コード２３は、カード１０の表面の中央付近から右側にかけて印刷されている。
【００１３】
また、カード１０の表面上には、カード１０中央付近から右側に渡って、複数個所に会社名を示す透かし文字３０が形成されており、中央より右側の位置に透かし図形４０が形成されている。透かし図形４０には、顔写真２１と同一の図柄が採用されている。このように、カード１０の表面上に個人識別情報に加えて、透かし文字３０及び透かし図形４０を有することにより、透かし文字３０及び透かし図形４０を有さないカードは、偽物であると判断でき、カードの不正利用を防止することができる。
【００１４】
カードの表面上の透かし文字３０及び透かし図形４０は、ユーザによりＰＣ３００に取り込まれた文字情報及び画像情報が、カードプリンタ２００に送信され、カードプリンタ２００のサーマルヘッドＨが、ＰＶＣプラスチックカードであるカード１０の表面に接触することにより描かれる（図４（ｂ）参照）。すなわち、カードプリンタ２００のサーマルヘッドＨは、カード１０のＴｇ以上の温度（Ｔｇよりも２０℃以上高い温度）で発熱しており、この発熱したサーマルヘッドＨがＰＶＣプラスチックカードであるカード１０の表面に接触して、接触した表面を溶かしながら移動することによって、透かし文字３０及び透かし図形４０が描かれる。
【００１５】
これにより、透かし文字３０及び透かし図形４０を描く際に、カード１０全体を加熱する必要がなく、余計な加熱コストがかからない。また、カード１０全体を加熱していないので、カード１０全体を冷却する必要がなく、製造に余計な時間がかからない。さらに、透かし文字３０及び透かし図形４０は、プリンタのサーマルヘッドＨにより描かれため、ユーザはカードプリンタ２００に送信する文字情報及び画像情報を変更するだけで、手軽にカード１０ごとに透かし文字３０及び透かし図形４０のデザインや模様を変更することができる。
これにより、手軽にカードごとにデザインや模様を変更できるとともに、安価で、簡易且つ効率的かつに製造することのできる不正対策カードを提供することができる。
【００１６】
次に本実施例の不正対策カード１００の製造方法を、図３〜図１２を用いて説明する。図５は、本発明の一実施例である不正対策カード１００の製造工程を示したフローである。図６（ａ）は、本発明の一実施例である不正対策カード１００の製造工程において、顧客帳を登録する際に表示される画面である。図６（ｂ）は、本発明の一実施例である不正対策カード１００の製造工程において、カードスタイルを登録する際に表示される画面である。図７は、本発明の一実施例である不正対策カード１００の製造工程において、顧客帳編集作業を行う際に表示される画面である。図８は、本発明の一実施例である不正対策カード１００の製造工程において、カードスタイル（通常印刷用）の編集を行う際に表示される画面である。図９は、本発明の一実施例である不正対策カード１００の製造工程において、写真データと顧客帳上のデータとをリンクさせる際に表示される画面である。図１０は、本発明の一実施例である不正対策カード１００の製造工程において、カード１０に通常印刷を行う際に表示される画面である。図１１は、本発明の一実施例である不正対策カード１００の製造工程において、カード１０に印刷を行うカードプリンタの設定を透かし印刷モードに変更する際に表示される画面である。図１２は、本発明の一実施例である不正対策カード１００の製造工程において、カード１０に透かし印刷を行う際に表示される画面である。
【００１７】
不正対策カード１００を製造するには、カード１０に通常印刷及び透かし印刷を行うカードプリンタ２００と、カードプリンタ２００に接続されたＰＣ３００にインストールされ、カードプリンタ２００へ指示を出して通常印刷を実行させる手順及び透かし印刷を実行させる手順をＰＣ３００に実行させる図示しないソフトウェア（カード発行プログラム）とが用いられる。
このうち、カードプリンタ２００は、発熱するサーマルヘッドＨと、サーマルヘッドＨとカード１０との間に介在されるインクリボンＩとを有する。そして、ＰＣ３００からの情報を受信してカード１０に印刷を行う。
【００１８】
サーマルヘッドＨの温度は、印刷時に、カード１０のガラス転移点（Ｔｇ）以上に設定される。例えば、カード１０のＴｇは５０℃以上であり、サーマルヘッドＨの温度は、そのカード１０のＴｇよりも２０℃以上高く設定される。
カードプリンタ２００で、顔写真２１、氏名２２及び社員コード２３等の個人識別情報や社員証としての体裁を整えるのに必要な項目を印刷する際には、カード１０とサーマルヘッドＨとの間にインクリボンＩを介在させる。そして、サーマルヘッドＨの熱でインクリボンＩのインクを昇華させて、カード１０の表面に付着させることにより、個人識別情報等をカード１０の表面に印刷する（通常印刷）。
【００１９】
一方、カードプリンタ２００で、透かし文字３０及び透かし図形４０を描く際には、カードプリンタ２００からインクリボンＩが取り外され、カード１０とサーマルヘッドＨとの間にインクリボンＩが無い状態にする。そして、サーマルヘッドＨの熱でカード１０の表面を溶かすことにより、カード１０の表面に透かし文字３０及び透かし図形４０を描く（透かし印刷）。
また、ソフトウェアは、カードプリンタ２００へ指示を出して通常印刷を実行させる手順及び透かし印刷を実行させる手順をＰＣ３００に実行させる以外に、個人識別情報の管理、カードスタイル（デザイン）の設計等を行うものである。
【００２０】
次に、このカードプリンタ２００と、ＰＣ３００にインストールされたソフトウェアとを用いて本実施例の不正対策カード１００を製造する工程を具体的に説明する。
まず、ＰＣ３００にインストールされたソフトウェアを起動し、カード１０に印刷する個人識別情報を管理するための顧客帳（データベース）及びカード１０のデザインを設計するためのカードスタイル（通常印刷用及び透かし印刷用）の登録を行う（ステップＳ１）。この際、ＰＣ３００の画面上には、図６（ａ）（ｂ）に示す入力画面が表示されるため、入力欄に入力を行い、顧客帳及びカードスタイルの登録を行う。ここでは、入力欄に「社員証」と入力する。ここで登録されるカードスタイル（通常印刷）及びカードスタイル（透かし印刷）は、それぞれ顧客帳のデータとリンクする。
【００２１】
次いで、登録を行った顧客帳に、氏名２２、社員コード２３等の個人識別情報やその他ユーザが管理しておきたい情報を加えて、顧客帳を編集する（ステップＳ２）。この際、予めテキスト形式で作成されたデータファイルを読み込むことによって、顧客帳に各情報を加える。このようにして、顧客帳を編集することによって、ＰＣ３００の画面上には、図７に示すような表が表示される。
【００２２】
次いで、登録を行ったカードスタイル（通常印刷用）を開いて、カード１０のデザインを設計する（ステップ３）。ここでは、カード１０の表面に通常印刷により印刷される個人識別情報等の配置や文字の大きさ等を決める。この際、ＰＣ３００の画面上には、図８に示すようなカード１０のデザインが表示される。この段階では、顔写真の欄はあるものの、顔写真２１のデータはまだ取り込まれていないため、表示されない。
【００２３】
次いで、登録を行ったカードスタイル（透かし印刷用）を開いて、透かし印刷される部分のデザインを設計する。ここでは、透かし印刷する文字や図形の配置等を決める。なお、不正対策カード１００を製造するにあたっては、透かし印刷する図形として、顔写真を予定しているため、顔写真の欄を設定する。
【００２４】
次いで、カード１０に印刷する顔写真２１の画像データを読み込み、顧客帳に記載した各個人の情報とリンクさせる（ステップＳ４）。この際、ＰＣ３００の画面上には、図９に示す画面が表示される。この情報のリンクを行うことで、氏名２２等の個人識別情報と対応する顔写真２１をカード１０に印刷することが可能となる。また、この情報のリンクを行うと、カードスタイル（通常印刷用）及びカードスタイル（透かし印刷用）の顔写真欄に、読み込まれた顔写真２１の画像データが設定され、通常印刷及び透かし印刷の際に、同一の顔写真２１の画像データを用いて印刷を行うことが可能になる。
【００２５】
次いで、カードスタイル（通常印刷用）の画面から図７に示す顧客帳の画面を開き、印刷する社員コードを選択し、画面上のカード発行ボタンを押すと、図１０に示すプレビュー画面がＰＣ３００の画面上に表示される。ここで、問題が無ければ、画面上の発行ボタンを押し印刷を行う（ステップＳ５）。これにより、ＰＣ３００から情報（個人識別情報等のデータ）及び通常印刷モードでの印刷の指令が送信され、カードプリンタ２００がこのデータに基づき、カード１０の表面に通常印刷モードで印刷を行う。
【００２６】
次いで、プリンタの設定画面にて、設定を透かし印刷用に変更する。この際、ＰＣ３００の画面上には、図１１の画面が表示される。また、カードプリンタ２００からインクリボンＩを取り出す。そして、通常印刷モードで印刷がなされたカード１０をカードプリンタ２００にセットする。
【００２７】
その後、カードスタイル（透かし印刷用）の画面から図７に示す顧客帳の画面を開き、印刷する社員コードを選択し、同画面上のカード発行ボタンを押すと、図１２に示すプレビュー画面がＰＣ３００の画面上に表示される。この画面上には、透かし変換選択部Ｓがあり、透かし印刷されるデータの作成方法が、シャープ（２値変換）とソフト（グレースケール変換）とから選択できる。このうち、シャープを選択すると、画像データ（顔写真２１等）の各部分のうち、ある基準（例えば、濃度、輝度等）で一定の閾値以上の値を有する部分は黒（透かし印刷を行う部分）、一定の閾値未満の値しか有しない部分は白（透かし印刷を行わない部分）に変換される。また、ソフトを選択すると、画像データの各部分は、濃度（または輝度等）に応じて、黒（透かし印刷を行う部分）、濃度の異なる灰色（透かし印刷を行う部分）及び白（透かし印刷を行わない部分）に変換される。透かし印刷の際、シャープを選択すると、透かし文字３０及び透かし図形４０が、明瞭にカード１０上に描かれ、ソフトを選択すると、透かし文字３０及び透かし図形４０が、写真のように詳細に、カード１０上に描かれる。なお、図１２のＰＣ３００の画面上では、シャープを選択している。ここで、設定等に問題が無ければ、画面上の発行ボタンを押す。これにより、ＰＣ３００から情報（透かし文字及び透かし図形の元となるデータ）及び透かし印刷モードでの印刷の指令が送信され、カードプリンタ２００がこのデータに基づき、透かしモードで、カード１０の表面に透かし文字３０及び透かし図形４０を描く。
【００２８】
このようにして、カード１０表面にインクにより顔写真２１、氏名２２及び社員コード２３等の個人識別情報が印刷され、且つサーマルヘッドＨの熱によりカード１０表面が溶かされて透かし文字３０及び透かし図形４０が描かれた不正対策カード１００を製造することができる。
【００２９】
なお、本発明の一実施例である不正対策カード１００では、カード１０は、白無地のＰＶＣプラスチックカードとしたが、受像層処理カードとしても良い。また、カードは、ＩＣカードや磁気カードとしても良い。さらに、本実施例でカード１０は社員証であったが、会員証、学生証、ポイントカード、定期券、その他様々なカードとなりうる。
また、本発明の一実施例である不正対策カード１００では、個人識別情報として、顔写真２１、氏名２２及び社員コード２３を例に挙げたが、これ以外の情報を用いても良い。また、個人を識別できる情報があれば、写真、氏名及び社員コードを用いなくても良い。
【００３０】
さらに、顔写真、氏名及び社員コード等の個人識別情報並びに透かし文字及び透かし図形のカード表面上の配置は、本実施例のものに限定されず、自由に選んで良い。また、本実施例では、不正対策カードに透かし文字と透かし図形を両方用いたが、透かし文字のみ、または、透かし図形のみを用いても良い。また、透かし文字及び透かし図形のデザインや模様は自由に設定して良く、本実施例のものに限定されない。
【００３１】
また、本発明の一実施例である不正対策カード１００の製造方法では、通常印刷を行ってから透かし印刷を行ったが、透かし印刷を行ってから通常印刷を行っても良い。また、本実施例の不正対策カード１００製造方法では、何等加工のなされていない白無地のプラスチックカードに通常印刷を行い、その後に透かし印刷を行っているが、プラスチックカードに予めオフセット印刷を行い、その後に透かし印刷を行っても良い。また、透かし印刷を行った後に、ラミネートなどのオーバーコート処理を行っても良い。逆に、ラミネートの後に透かし印刷を行っても良い。
さらに、本発明の一実施例である不正対策カード１００の製造工程では、カード１０に通常印刷を１回行い、透かし印刷を１回行っているが、通常印刷及び透かし印刷を２回以上行っても良い。
【００３２】
また、本発明の不正対策カードの製造するにあたって、カードに磁気カード（またはＩＣカード）を用いた上で、通常印刷を行う際に、このカードの磁気ストライプ（ＩＣチップ）に、社員番号、社員コード等の個人識別情報を、書き込んでも良い。その後、透かし印刷を行う際に、カードプリンタにより磁気ストライプ（ＩＣチップ）に書かれた個人識別情報を読み込み、読み込んだ個人識別情報を顧客帳（データベース）上の個人識別情報と照合した上で、透かし印刷を行っても良い。このように通常印刷を行う際に書き込んだ個人識別情報を読み取って顧客帳上の個人識別情報と照合することで、透かし図形に顔写真を用いる場合など、通常印刷される事項と透かし印刷される事項とが一致しなくてはならないときにも、通常印刷された個人識別情報に対応する透かし図形（または透かし文字）を印刷することができる。そのため、通常印刷を行った後、カード上の通常印刷された事項と、透かし印刷を行う事項とが一致するかを一つ一つ確認する必要がないため、迅速に不正対策カードの製造を行うことができる。
【００３３】
次に、本発明の一実施例である不正対策カード１００を製造するのに用いられる、カードプリンタ２００とは異なる態様のカードプリンタ４００について説明する。図１３は、本発明の一実施例である不正対策カード１００を製造するのに用いられるカードプリンタ４００の正面図である。図１４は、本発明の一実施例である不正対策カード１００を製造するのに用いられるカードプリンタ４００の個人識別情報印刷装置４１０の本体４１１の内部構造及び透かし印刷装置４４０の本体４４１の内部構造を示す図である。図１５は、本発明の一実施例である不正対策カード１００を製造するのに用いられるカードプリンタ４００の個人識別情報印刷装置４１０及び透かし印刷装置４４０の動作説明図である。図１６は、本発明の一実施例である不正対策カード１００を製造するのに用いられるカードプリンタ４００の個人識別情報印刷装置４１０及び透かし印刷装置４４０の動作説明図である。
【００３４】
本発明の一実施例である不正対策カード１００を製造するのに用いられるカードプリンタ４００は、カード１０に顔写真２１、氏名２２及び社員コード２３等の個人識別情報を印刷する個人識別情報印刷装置４１０と、カード１０の表面に透かし文字３０及び透かし図形４０を描く透かし印刷装置４４０とを有している。
【００３５】
このうち、個人識別情報印刷装置４１０は、本体４１１と、本体４１１の一方の側面に取り付けられるカード供給ホッパ４１２と、本体４１１の、カード供給ホッパ４１２が取り付けられるのと同じ側面に形成される図示しないカード搬入口と、本体４１１の他方の側面（カード供給ホッパ４１２が取り付けられる側面と反対側の側面）に形成されるカード排出口４１３と、本体４１１の背面に設置される、ＰＣ３００との図示しない接続部（ＰＣ接続部）とを有する。
【００３６】
カード供給ホッパ４１２は、その中に収納された複数のカード１０を、図示しないカード搬入口を介して、本体４１１内に一枚ずつ供給するものである。カード排出口４１３は、本体４１１内で、顔写真２１、氏名２２及び社員コード２３等の個人識別情報が印刷されたカード１０が排出される部分である。
【００３７】
また、透かし印刷装置４４０は、本体４４１と、本体４４１の一方の側面に形成されるカード搬入口４４２と、本体４４１の他方の側面（カード搬入口４４２が形成される側面と反対側の側面）に形成される図示しないカード排出口と、図示しないカード排出口が形成されるのと同じ側面に設置されるカード排出スタッカ４４３とを有する。
カード搬入口４４２は、本体４４１内にカード１０が搬入される部分である。また、図示しないカード排出口は、本体４４１内で、透かし文字３０及び透かし図形４０が描かれたカード１０が排出される部分である。カード排出スタッカ４４３は、排出されたカード１０が集積される部分である。
【００３８】
ここで、個人識別情報印刷装置４１０の本体４１１と透かし印刷装置４４０の本体４４１は、互いに接続されている。そのため、透かし印刷装置４４０も、個人識別情報印刷装置４１０と同様に、ＰＣ３００からの指令を受けて動作する。
また、本体４１１に形成されるカード排出口４１３と、本体４４１に形成されるカード搬入口４４２とは、各本体４１１、４４１の側面の同じ高さにあり、互いに接続している。これにより、個人識別情報印刷装置４１０のカード排出口４１３から排出されたカード１０が、そのまま透かし印刷装置４４０のカード搬入口４４２に入るようになっている。
【００３９】
次に、個人識別情報印刷装置４１０の本体４１１内部の構成及び透かし印刷装置４４０の本体４４１内部の構成を説明する。
個人識別情報印刷装置４１０の本体４１１は、カード１０に、顔写真２１、氏名２２及び社員コード２３等の個人識別情報を印刷する機構である第１のユニット４２０と、図示しないモータにより回転駆動され、本体４１１内でカード１０を搬送する搬送ローラ４３１とをその内部に有する。
【００４０】
このうち、第１のユニット４２０は、図示しないモータにより回転駆動されるプラテンローラ４２１と、発熱するサーマルヘッドＨ１と、搬送されてきたカード１０とサーマルヘッドＨ１との間に介在されるインクリボンＩと、サーマルヘッドＨ１とカード１０との間にインクリボンＩを供給する供給ローラ４２２と、サーマルヘッドＨ１とカード１０との間に供給されたインクリボンＩを巻き取る巻き取りローラ４２３とを有する。ここで、サーマルヘッドＨ１は、プラテンローラ４２１の上方に設置され、図示しないスプリングにより上下動自在になっている。また、サーマルヘッドＨ１は、インクリボンＩのインクを昇華させる熱を有している。そのため、搬送ローラ４３１により、カード１０が搬送された際に、発熱するサーマルヘッドＨ１で、インクリボンＩのインクを昇華させることで、カード１０へ、顔写真２１、氏名２２及び社員コード２３等の個人識別情報を印刷することが出来る。
【００４１】
また、搬送ローラ４３１は、図示しないモータにより回転駆動され、上下からカード１０を挟んで搬送するものである。搬送ローラ４３１は、図示しないカード搬入口から本体４１１内に搬入されたカード１０を第１のユニット４２０へ搬送する。また、搬送ローラ４３１は、第１のユニット４２０において、個人識別情報が印刷されたカード１０を、カード排出口４１３へ搬送する。この際、個人識別情報印刷装置４１０のカード排出口４１３と透かし印刷装置４４０のカード搬入口４４２が接続しているため、カード１０の一部はカード排出口４１３及びカード搬入口４４２を通って、透かし印刷装置４４０の本体４４１内に入るようになっている。
【００４２】
透かし印刷装置４４０の本体４４１は、カード１０に透かし文字３０及び透かし図形４０を描く機構である第２のユニット４５０と、図示しないモータにより回転駆動され、本体４４１内でカード１０を搬送する搬送ローラ４６１とをその内部に有する。
このうち、第２のユニット４５０は、図示しないモータにより回転駆動されるプラテンローラ４５１と、発熱するサーマルヘッドＨ２とを有する。サーマルヘッドＨ２は、プラテンローラ４５１の上方に設置され、図示しないスプリングにより上下動自在になっている。また、サーマルヘッドＨ２は、カード１０のガラス転移点以上の温度を有する。そのため、搬送ローラ４６１により、カード１０が搬送された際に、発熱するサーマルヘッドＨ２の熱で、カード１０の表面を溶かすことにより、透かし文字３０及び透かし図形４０をカード１０の表面に描くことが出来る。
【００４３】
また、搬送ローラ４６１は、図示しないモータにより回転駆動され、上下からカード１０を挟んで搬送するものである。搬送ローラ４６１は、カード搬入口４４２から、搬入されたカード１０の一部を挟み、カード１０を本体４４１内に引き入れる。そして、カード１０を第２のユニット４５０へ搬送する。これにより、搬送ローラ４３１及び搬送ローラ４６１により、カード１０を第１のユニット４２０から第２のユニット４５０へと搬送することが出来る。また、搬送ローラ４６１は、第２のユニット４５０で透かし文字３０及び透かし図形４０が描かれたカード１０を図示しないカード排出口へ搬送する。
【００４４】
次に、本発明の一実施例である不正対策カード１００を製造するのに用いられるカードプリンタ４００の動作を説明する。
カード１０をカード供給ホッパ４１２にセットすると、カード供給ホッパ４１２から図示しないカード搬入口を介してカード１０が個人識別情報印刷装置４１０の本体４１１内に供給される。すると、回転する搬送ローラ４３１が、カード１０を上下から挟み、第１のユニット４２０へと搬送する。
【００４５】
カード１０が第１ユニット４２０のプラテンローラ４２１上まで搬送されると、発熱するサーマルヘッドＨ１が待機位置から下降する。そして、カード１０との間に介在されるインクリボンＩのインクを、その熱で昇華させて、カード１０の表面に付着させる。これにより、カード１０に顔写真２１、氏名２２及び社員コード２３等の個人識別情報を印刷する。
【００４６】
カード１０に個人識別情報が印刷されると、第１ユニット４２０とカード排出口４１３との間に設置されて回転する搬送ローラ４３１が、カード１０を上下から挟み、カード排出口４１３へ搬送する。そして、カード１０がカード排出口４１３まで搬送されると、カード１０の一部がカード排出口４１３から出て、そのままカード搬入口４４２に入り、透かし印刷装置４４０の本体４４１内に入る。このまま搬送ローラ４３１による搬送を続けると、カード１０の一部が、透かし印刷装置４４０の本体４４１内に設置されて回転する搬送ローラ４６１に上下から挟まれる。そして、搬送ローラ４３１及び搬送ローラ４６１による搬送が行われ、カード１０は、透かし印刷装置４４０の本体４４１内へ搬送される。次いで、カード１０全体が本体４４１内に入ると、搬送ローラ４６１は、カード１０を第２のユニット４５０へと搬送する。このようにして、第１のユニット４２０から第２のユニット４５０へと、個人識別情報が印刷されたカード１０を搬送する。
【００４７】
カード１０が第２のユニット４５０のプラテンローラ４５１上まで搬送されると、サーマルヘッドＨ２が待機位置から下降する。そして、サーマルヘッドＨ２とカード１０との間に介在するものがない状態で、サーマルヘッドＨ２の熱でカード１０の表面を溶かして、透かし文字３０及び透かし図形４０を描く。
【００４８】
カード１０に透かし文字３０又は透かし図形４０が描かれると、第２のユニット４５０と図示しないカード排出口との間に設置されて回転する搬送ローラ４６１が、カード１０を上下から挟み、図示しないカード排出口へと搬送する。そして、カード１０が図示しないカード排出口から排出され、カード排出スタッカ４４３内に集積される。
このようにして、カードプリンタ４００を用いて、本発明の一実施例である不正対策カード１００を製造することが出来る。
【００４９】
このカードプリンタ４００では、サーマルヘッドが二つ設置されており、かつ第２のユニット４５０に設置されるサーマルヘッドＨ２とカード１０との間には介在されるものが無い。そのため、サーマルヘッドが一つしかないカードプリンタと異なり、通常印刷（個人識別情報を印刷するモード）と透かし印刷（透かし文字３０又は透かし図形４０を描くモード）とを切り替える際に、カードプリンタからインクリボンＩを取り外す又はカードプリンタにインクリボンをセットするという必要が無く、ユーザの利便性を向上することができる。
【００５０】
また、このカードプリンタ４００では、一度印刷を開始すれば個人識別情報の印刷と透かし印刷の両方を一気に行うことができるので、サーマルヘッドが一つしかないカードプリンタと異なり、個人識別情報を印刷した後、再びプリンタにカード１０をセットし直すという必要がない。そのため、複数のカード１０に個人識別情報の印刷と透かし印刷とを行う際に、カード１０に個人識別情報と対応する透かし文字３０又は透かし図形４０が印刷されるように、カード１０の順番を揃える必要や、カード１０が混ざらないように注意する必要がなく、カード１０管理の手間が省ける。
【００５１】
なお、カードプリンタ４００では、個人識別情報印刷装置４１０と透かし印刷装置４４０という別々の装置を接続して用いているが、内部に第１のユニット４２０、第２のユニット４５０、搬送ローラ４３１、４６１に相当する構成があれば、二つの装置を一体的に形成しても良い。すなわち、二つの装置を一体にして、内部に、第１のユニット、第２のユニット及び第１のユニットと第２のユニットとの間でカード１０を搬送する手段を有する個人識別情報印刷装置兼透かし印刷装置としても良い。
【００５２】
また、カードプリンタ４００における第１のユニット４２０では、サーマルヘッドＨ１によりインクリボンＩのインクを昇華させて、これを直接カード１０の表面に付着させることで、個人識別情報の印刷を行っている（直接印刷方式）が、サーマルヘッドの熱でインクリボンのインクを昇華させてカード１０に個人識別情報を印刷するのであれば、印刷の方式はこれに限らない。
【００５３】
すなわち、カードプリンタ４００を変形して、カードプリンタが、先に説明した第１のユニット４２０の代わりに、図１７に示すような構成の第１のユニット５２０を有するようにしても良い（カードプリンタ４００の変形例）。すなわち、カードプリンタが、回転駆動されるプラテンローラ５２１と、プラテンローラ５２１の右方に設置されて発熱する左右方向に移動自在のサーマルヘッドＨ１１と、プラテンローラ５２１とサーマルヘッドＨ１１との間に介在される再転写フィルムＦと、再転写フィルムＦとサーマルヘッドＨ１１との間に介在されるインクリボンＩと、サーマルヘッドＨ１１と再転写フィルムＦとの間にインクリボンＩを供給する供給ローラ５２２と、供給されたインクリボンＩを巻き取る巻き取りローラ５２３と、再転写フィルムＦをプラテンローラ５２１へ向かって供給する供給ローラ５２４と、供給された再転写フィルムＦを巻き取る巻き取りローラ５２５と、プラテンローラ５２１と巻き取りローラ５２５との間に設けられ、搬送されたカード１０に再転写フィルムＦを加熱しながら押圧するヒートローラ５２６と、ヒートローラ５２６とともに、カード１０を挟む加圧ローラ５２７とを有する第１ユニット５２０を有するようにしても良い。
【００５４】
そして、サーマルヘッドＨ１１の熱でインクリボンＩのインクを昇華させ、再転写フィルムＦにインクを付着させて個人識別情報を逆像で印刷し、巻き取りローラ５２５により再転写フィルムＦを巻き取り、再転写フィルムＦの個人識別情報の逆像が印刷された部分をヒートローラ５２６上部に位置させ、搬送されたカード１０に再転写フィルムＦを加熱しながら押圧する。そして、再転写フィルムＦに印刷された個人識別情報の逆像を、カード１０の表面に貼着させて、カードに個人識別情報を印刷する（再転写印刷方式）ようにしても良い。
【００５５】
また、カードプリンタ４００は、カード１０の片面を印刷するものであるが、第１のユニット４２０と第２のユニット４５０との間にカード反転機構を設けて、カード１０の一方の面には個人識別情報が印刷され、他方の面には透かし文字３０又は透かし図形４０が印刷されるようにしても良い。
【００５６】
さらに、カードプリンタ４００では、個人識別情報印刷装置４１０側（第１のユニット４２０がある側）からカード１０が搬入されて通常印刷が行われ、その後透かし印刷装置４４０側（第２のユニット４５０がある側）にカード１０が搬送されて透かし印刷が行われているが、カードプリンタ４００を変形して、カード１０に先に透かし印刷を行い、その後個人識別情報を印刷するようにしても良い。すなわち、透かし印刷装置側にカード供給ホッパを、個人識別情報印刷装置側にカード排出スタッカを設けて、透かし印刷装置側（第２のユニット４５０がある側）からカード１０を搬入して透かし印刷を行い、その後個人識別情報印刷装置側（第１のユニット４２０がある側）にカード１０を搬送して通常印刷を行うようにしても良い。
【００５７】
次に、本発明の一実施例である不正対策カード１００を製造するのに用いられるカードプリンタ６００について説明する。図１８は、本発明の一実施例である不正対策カード１００を製造するのに用いられるカードプリンタ６００の正面図である。また、図１９は、本発明の一実施例である不正対策カード１００を製造するのに用いられるカードプリンタ６００の透かし印刷装置６１０の内部構造を示す図である。
【００５８】
カードプリンタ６００は、カード１０の表面に透かし文字３０及び透かし図形４０を描く透かし印刷装置６１０からなる。透かし印刷装置６１０の構成は、本体６１１の一方の側面（カード搬入口６１３が設けられているのと同じ側面）にカード供給ホッパ６１２が設けられている点、本体６１１の背面にＰＣ３００との図示しない接続部（ＰＣ接続部）が設けられている点を除いて、先に説明したカードプリンタ４００の透かし印刷装置４４０と同様である。
【００５９】
すなわち、透かし印刷装置６１０は、本体６１１と、本体６１１の一方の側面に取り付けられるカード供給ホッパ６１２と、本体６１１のカード供給ホッパ６１２が設けられているのと同じ側面に形成されるカード搬入口６１３と、本体６１１の他方の側面（カード搬入口６１３が形成される側面と反対側の側面）に形成されるカード排出口６１４と、カード排出口６１４が形成されるのと同じ側面に設置されるカード排出スタッカ６１５と、本体６１１の背面に設置されるＰＣ３００との図示しない接続部（ＰＣ接続部）とを有する。透かし印刷装置６１０は、ＰＣ３００と図示しないＰＣ接続部で接続し、ＰＣ３００の指令を受けて動作する。
【００６０】
また、本体６１１内部の構成も先に説明したカードプリンタ４００の透かし印刷装置４４０と同様である。すなわち、本体６１１は、カード１０に透かし文字３０及び透かし図形４０を描く機構である透かし印刷ユニット６２０（第２のユニット４５０に相当）と、図示しないモータにより回転駆動され、本体６１１内でカード１０を搬送する搬送ローラ６３１とをその内部に有する。
透かし印刷ユニット６２０は、先に説明したカードプリンタ４００の透かし印刷装置４４０の第２のユニット４５０と同様の構成を有しており、図示しないモータにより回転駆動されるプラテンローラ６２１と、発熱するサーマルヘッドＨ２１とを有する。
【００６１】
また、透かし印刷装置６１０の動作も、先に説明したカードプリンタ４００の透かし印刷装置４４０とほぼ同じである。すなわち、顔写真２１、氏名２２及び社員コード２３等の個人識別情報が印刷されたカード１０をカード供給ホッパ６１２にセットすると、カード供給ホッパ６１２からカード搬入口６１３を介してカード１０が透かし印刷装置６１０の本体６１１内に供給される。すると、回転する搬送ローラ６３１が、カード１０を上下から挟み、透かし印刷ユニット６２０へと搬送する。
【００６２】
カード１０が透かし印刷ユニット６２０のプラテンローラ６２１上まで搬送されると、サーマルヘッドＨ２１が待機位置から下降する。そして、サーマルヘッドＨ２１とカード１０との間に介在するものがない状態で、サーマルヘッドＨ２１の熱でカード１０の表面を溶かして、透かし文字３０及び透かし図形４０を描く。
カード１０に透かし文字３０又は透かし図形４０が描かれると、透かし印刷ユニット６２０とカード排出口６１４との間に設置されて回転する搬送ローラ６３１が、カード１０を上下から挟み、カード排出口６１４へと搬送する。そして、カード１０がカード排出口６１４から排出され、カード排出スタッカ６１５内に集積される。
【００６３】
このようにして、カードプリンタ６００を用いて、本発明の一実施例である不正対策カード１００を製造することが出来る。なお、個人識別情報が印刷される前のカード１０をカードプリンタ６００にセットして、透かし文字３０又は透かし図形４０を描いた場合は、カードプリンタ６００により透かし文字３０又は透かし図形４０が描かれたカード１０を、個人識別情報を印刷する機能を有するカードプリンタにセットして、個人識別情報を印刷することで、本発明の一実施例である不正対策カード１００を製造することが出来る。
【００６４】
このカードプリンタ６００は、サーマルヘッドＨ２１の熱で、カード１０の表面を溶かすことにより、カード１０に透かし文字３０又は透かし図形４０を描くことが出来る。そのため、既に個人識別情報の印刷されたカード１０に、透かし文字３０又は透かし図形４０を加えることができる。また、個人識別情報を印刷する予定のカード１０に、予め透かし文字３０又は透かし図形４０を加えることができる。ゆえに、ユーザが、既に個人識別情報を印刷する機能を有するカードプリンタを有する場合にも、そのユーザが既に有するカードプリンタと、カードプリンタ６００とを両方用いることで、不正対策カード１００を製造することができ、ユーザの利便性を向上させることができる。
【００６５】
以上に本発明の実施例である不正対策カード１００、カードプリンタ２００、カード発行プログラム、カードプリンタ４００及びカードプリンタ６００を説明したが、本発明は、上記の実施例に限定されることなく、本発明の技術思想を逸脱しない範囲で、多様に変形して実施することが出来る。
【符号の説明】
【００６６】
１００    不正対策カード
１０    カード
２１    顔写真
２２    氏名
２３    社員コード
３０    透かし文字
４０    透かし図形
２００    カードプリンタ
３００    ＰＣ
Ｈ    サーマルヘッド
Ｉ    インクリボン
【図１】
2016210163.tif 000003
【図２】
2016210163.tif 000004
【図３】
2016210163.tif 000005
【図４】
2016210163.tif 000006
【図５】
2016210163.tif 000007
【図６】
2016210163.tif 000008
【図７】
2016210163.tif 000009
【図８】
2016210163.tif 000010
【図９】
2016210163.tif 000011
【図１０】
2016210163.tif 000012
【図１１】
2016210163.tif 000013
【図１２】
2016210163.tif 000014
【図１３】
2016210163.tif 000015
【図１４】
2016210163.tif 000016
【図１５】
2016210163.tif 000017
【図１６】
2016210163.tif 000018
【図１７】
2016210163.tif 000019
【図１８】
2016210163.tif 000020
【図１９】
2016210163.tif 000021